(57)【要約】      （修正有）【課題】携帯用照明器具の照明機能以外に、キーホルダやストラップパーツないしはアクセサリー等として広範囲の利用に供し得、利用価値の高い携帯用照明器具を提供する。【解決手段】本体２内部に電池を収納し、一側端縁にＬＥＤ３等の発光体を突設するとともにストラップ用４掛止部５を設け、本体２のスイッチ部を操作して発光体を点灯させる。本体２の平坦状の一側面にフレーム部６が設けられ、ここに写真、絵柄等の表示媒体７が取外し自在に挿着される。表示媒体を取外す場合、フレーム部６の一側縁に形成した切込み溝８に指端を挿入することにより表示媒体の端縁に指をかけて容易に取外すことができる。【選択図】図１
0003158421.tif 000002
【実用新案登録請求の範囲】
【請求項１】
内部に電源をなす電池を収納し、一側端縁に該電池に接続された発光体を突設するとともにストラップを掛止する掛止部を設けた本体を備え、該本体のスイッチ部を操作することによってスイッチを入れ前記電池によって前記発光体を点灯してなる構成の携帯用照明器具において、
前記本体の側面に写真、絵柄等の表示媒体を挿着するフレーム部を設けたことを特徴とする携帯用照明器具。
【請求項２】
前記表示媒体を挿着させるフレーム部の一側縁に切込み溝を形成し、該切込み溝を介して、挿着した表示媒体を該フレーム部より容易に取外し得るようにしてなる請求項１に記載の携帯用照明器具。
【請求項３】
前記掛止部に掛止されたストラップを用いて、キーホルダ、あるいは携帯電話等の対象物用のストラップパーツないしはアクセサリーとして利用してなる請求項１又は２に記載の携帯用照明器具。
【考案の詳細な説明】
【技術分野】
【０００１】
本考案は、発光ダイオード（以下、ＬＥＤと称する）等の発光体を本体に突設して、使用者が該本体のスイッチ部分を指で押すことによって点灯させる構成の携帯用照明器具に係り、特に照明器具としての機能とともにキーホルダ、あるいは携帯電話等の対象物用のストラップパーツにないしはアクセサリーとして、利用可能な携帯用照明器具に関する。
【背景技術】
【０００２】
この種の携帯用照明器具として、略矩形状本体の一側面にＬＥＤのオン・オフ用ボタンスイッチを設けるとともに一側端縁にＬＥＤを配するとともに他の側端縁に吊り紐ないしは提げ紐（以下、ストラップと称する）を掛止するための掛止部を設けた構成のものが意匠登録第１２７７６２４号公報（特許文献１）に開示されている。又、意匠登録第１２７８６６５号公報（特許文献２）には、全体に楕円形の本体側面にスライド式のスイッチ部を設け、一側端部に発光体を臨ませた構成のものが開示されている。更に、意匠登録第１２７１３６３号公報（特許文献３）には扁平状の本体の前方に発光体としてのＬＥＤランプが設けられるとともに後方にＵ形の押ボタンが設けられ、後端にフックが設けられたキーホルダとして構成された携帯用照明器具が開示されている。
【０００３】
上記公知の構成においては、いずれも本体内部にボタン電池等の電池を収納し、本体上に設けたスイッチ部の押圧等の操作によりＬＥＤ等の発光体を発光させる構成と認められる。
【先行技術文献】
【特許文献】
【０００４】
【特許文献１】意匠登録第１２７７６２４号公報
【特許文献２】意匠登録第１２７８６６５号公報
【特許文献３】意匠登録第１２７１３６３号公報
【考案の概要】
【考案が解決しようとする課題】
【０００５】
上述した公知の携帯用照明器具では、発光体としてＬＥＤを使用し、本体上にストラップ用掛止部を設けるなどして携帯用として小型化した構成のもので、これをキーホルダ、あるいは携帯電話等のストラップのパーツないしはアクセサリーとして利用するなど種々認められるところであるが、この使用に当たって、より利便性が高く、より広範囲の利用を促すとともに商品販売・促進のための宣伝用領布グッズないし小物などとしても利用できる等、その利用価値を高めた携帯用照明器具を提供することを本考案の課題とする。
【課題を解決するための手段】
【０００６】
上記、本考案の課題を解決するために、本考案においては、内部にＬＥＤ電源をなす電池を収納し、一側端縁に該電池に接続された発光体を突設するとともにストラップを掛止する掛止部を設けた本体を備え、該本体のスイッチ部を操作することによってスイッチを入れ前記電池によって前記発光体を点灯してなる構成の携帯用照明器具を前提として、前記本体の側面に写真、絵柄等の表示媒体を挿着するフレーム部を設けた携帯用照明器具を提案するものである。
【０００７】
上記構成の本考案の携帯用照明器具においては、発光体用の電源をなす電池を収納した本体の側面を利用し、ここに写真、絵柄等の表示媒体を挿着するフレーム部を設けたので、該フレーム部に使用者の好みの写真、絵柄等を挿着しておくことができる。
【０００８】
又、本考案は、上述の構成において、前記表示媒体を挿着させるフレーム部の一側縁に切込み溝を形成し、該切込み溝を介して、挿着した表示媒体を該フレーム部より容易に取外し得るようにした携帯用照明器具をも提案するものである。この構成により、挿着した表示媒体をフレーム部から取外す際に、該切込み溝に指端をかけることにより、取外しを容易になし得る。
【０００９】
更に、本考案は、前記掛止部に掛止されたストラップを用いて、キーホルダ、あるいは携帯電話等の対象物用のストラップパーツないしはアクセサリーとして利用してなる携帯用照明器具をも提案するものである。ストラップ端部にキーあるいは携帯電話等の対象物を取着すれば、当該照明器具をキーホルダ、あるいは他の対象物用のストラップパーツないしはアクセサリーとして利用できる。
【考案の効果】
【００１０】
本考案に係る携帯用照明器具は、その本体の側面を利用し、そこに写真、絵柄等の表示媒体を挿着するフレーム部を設けたので、該フレーム部に使用者の好みの写真、例えばプリクラ（登録商標）で代表されるシール写真や絵柄等を挿着しておくことができ、単なる携帯用の照明器具としての照明機能に留まらず、キーホルダや携帯電話等の対象物のストラップパーツないしはアクセサリーとして、あるいは愛犬等のペット写真を挿着してペットのロープに取着して夜間歩行時の携帯ライトとして利用でき、更には、該フレーム部に販売・促進のための広告宣伝用画像等を挿着して販促用に領布するグッズあるいは小物としても利用できる等、より広範囲の利用を促し、利用価値の高い携帯用照明器具を提供できるものである。
【００１１】
更に、フレーム部の一側縁に切込み溝を形成した構成にあっては、この切込み溝に指をかけることにより、フレーム部に挿着した表示媒体を該フレーム部より容易に取外すことができ、表示媒体の交換も支障なくなし得る利点がある。
【図面の簡単な説明】
【００１２】
【図１】本考案に係る実施例の携帯用照明器具の平面図である。
【図２】図１に示す携帯用照明器具において、ストラップ部分を省略して示す部分破断裏面図である。
【図３】図１に示す携帯用照明器具のＡ−Ａ線に沿って見た拡大断面図である。
【図４】図１に示す携帯用照明器具のＢ−Ｂ線に沿って見た拡大部分断面図である。
【考案を実施するための形態】
【００１３】
以下、図面を参照して本考案に係る実施例を説明する。
【実施例】
【００１４】
図１に示す本考案に係る携帯用照明器具１は、アクリル樹脂で形成された略矩形状の本体２を有し、その一側端縁に発光体としての発光ダイオード（ＬＥＤ）３を突設するとともに他方の側端縁には、ストラップ４の端部を掛止する掛止部５が一体に形成されている。
【００１５】
この本体２の平坦な一側面にフレーム部６が周囲の矩形状の側縁によって囲まれた凹陥状の平面領域によって構成され、ここに写真、絵柄等の表示媒体７を着脱自在に挿着できるようになっている。８は、このフレーム部の一側縁に一体に形成された切込み溝である。９は、フレーム部５の対向する両側縁において表示媒体７の対応端縁を挿着状態で嵌合させる嵌合溝で、挿着状態からの表示媒体７の逸脱を防止する。
【００１６】
図２は図１の裏面側を示し、１０は「ＰＵＳＨ」と刻印されているスイッチ部であり、本体２の側面の中央に円形で囲った肉薄構造の凹陥部で形成されている。この部分１０を指で押すことにより、該部分の弾性変形で本体２内に収納した電源としての電池１１と配線１２を介してＬＥＤ３を点灯するようにスイッチが入る。この電池１１としてマンガンリチュウムのボタン電池が用いられる。スイッチ部１０を指で押す場合には、これと対向した本体２の表面側の部分、すなわち、表示媒体７を挿着したフレーム部６の部分も一緒につまんで押圧する操作となるが、この際、該フレーム部６の底面６ａも肉薄構造となっているので弾性変形し、図２に示す配線１２の奥側にある他の配線１３（図３）と電池１１との接触が実行されスイッチが入る。
【００１７】
この実施例では、ＬＥＤ３の点灯のために本体２の両面をつまんで該両面を弾性変形させてスイッチを入れる構成としてあるが、スイッチ部１０の面のみを押圧してスイッチを入れる構成も可能である。又、スイッチ部１０の押入操作に代えて、例えば、ここにスライドスイッチを配したスライド式の構成も可能であるが、ＬＥＤ３を点灯させる構造自体は公知に属するので、これら部分の他の変形例については説明を省略する。更に、実施例では発光体としてのＬＥＤが長寿命で小型化設計に適するために望ましいとして示したが、これに代えて慣用の豆電球を用いてもよい。
【００１８】
図３の拡大断面図で示す通り、本体２は、２つ割り構成の一対の可半部２ａ，２ｂを相互に組付けて、ネジ１４（図２）により固定することにより構成される。一方の可半部２ａにおいて該本体２の側面に設けたフレーム部６内にシート状の表示媒体７が該フレーム部６の底面６ａに沿って挿着されるとともに、この上に透明カバーシート１５が重ねて挿着される。この挿着状態において、表示媒体７の端縁が対応する嵌合溝９に嵌合するので、該挿着位置からの不用意な逸脱が防止される。尚、これら表示媒体７及びカバーシート１５の挿着操作は、これらがシート状で可撓性があることから、若干わん曲させれば容易に挿入できる。尚又、カバーシート１５は必須でなく、表示媒体７のみを挿着させる構成も可能である。
【００１９】
図４の部分拡大断面図に示す通り、フレーム部６の一側縁に切込み溝８を設けてあるので、フレーム部６内に挿着された表示媒体７を交換のためにカバーシート１４とともに該フレーム部６より取外す場合、使用者がこの切込み溝８に指端を挿入すれば、シート７，１５の端縁に容易に指をかけることができる。特に、これら両シート７，１５は上述の通り嵌合溝９により容易に逸脱しないように抑えられているので、取外しに支障があるが、この切込み溝８があるために取外し操作が容易となる。尚、実施例では、図４に示す通り、テーパ状に形成した切込み溝８を示したが、指端を若干挿入し得る形状であればよく、実施例に限定されない。
【００２０】
以上、本考案に係る携帯用照明器具の実施例を説明したが、当該照明器具１の掛止部５に端部を掛止したストラップ４の他端を、例えば、キーに接続すれば当該照明器具をキーホルダとして利用でき夜間時のカギ穴の照明に便利であり、又、該ストラップ４を携帯電話等の対象物に接続すれば、これに付属したストラップパーツないしアクセサリーとして利用できる。又、愛犬等のロープにこれを取着しておけば夜間歩行時の携帯ランプとして利用できるなど種々の利用が可能である。更に、フレーム部に挿着する表示媒体の選択によっては、商品の販売・促進の宣伝活動に供する領布グッズないしは小物としての利用価値がある。その他、本考案は実施例に限定されず種々の変形例をも包含するものである。
【符号の説明】
【００２１】
１    携帯用照明器具
２    本体
３    発光ダイオード（ＬＥＤ）
４    ストラップ
５    掛止部
６    フレーム部
７    表示媒体
８    切込み溝
９    嵌合溝
１０  スイッチ部
１１  電池
１５  透明カバーシート
【図１】
0003158421.tif 000003
【図２】
0003158421.tif 000004
【図３】
0003158421.tif 000005
【図４】
0003158421.tif 000006
【手続補正書】
【提出日】平成22年1月29日(2010.1.29)
【手続補正１】
【補正対象書類名】図面
【補正対象項目名】図１
【補正方法】変更
【補正の内容】
【図１】
0003158421.tif 000007
【手続補正２】
【補正対象書類名】実用新案登録請求の範囲
【補正対象項目名】請求項１
【補正方法】変更
【補正の内容】
【請求項１】
内部に電源をなす電池を収納し、一側端縁に該電池に接続された発光体を突設するとともにストラップを掛止する掛止部を設けた本体を備え、該本体のスイッチ部を操作することによってスイッチを入れ前記電池によって前記発光体を点灯してなる構成の携帯用照明器具において、
前記本体の側面に表示媒体を挿着するフレーム部を設けたことを特徴とする携帯用照明器具。
【手続補正３】
【補正対象書類名】実用新案登録請求の範囲
【補正対象項目名】請求項３
【補正方法】変更
【補正の内容】
【請求項３】
前記掛止部に掛止されたストラップを用いて、対象物用のストラップパーツないしはアクセサリーとして利用してなる請求項１又は２に記載の携帯用照明器具。